(57)【要約】【課題】  簡単な構造、低コストでしかも取付を簡単に行える実用的な防犯ブザー装置及びそれを用いた自動販売機用防犯システムを提供する。【解決手段】  破り剥がしされやすい部分（１１０）を含む機体（１０４）であって、該破り剥がしされやすい部分以外の機体に固定され、起動体１６を起動させて警報音を発生させる警鳴装置１２と、機体の破り剥がしされやすい部分（１１０）と起動体１６とを接続する連係手段１２と、を有する防犯ブザー装置から構成される。破り剥がしされやすい部分の破り剥がし動作に対応して起動体１６を起動させて警報音を発生させ、盗難を予防する。【選択図】図１
2005301378.tif 000002
【特許請求の範囲】
【請求項１】
破り剥がしされやすい部分を含む機体であって、該破り剥がしされやすい部分以外の機体に固定され、起動体を起動させて警報音を発生させる警鳴装置と、
機体の破り剥がしされやすい部分と起動体とを接続し、破り剥がしされやすい部分の破り剥がし動作に対応して起動体を起動させて警報音を発生させる連係手段と、を有することを特徴とする防犯ブザー装置。
【請求項２】
連係手段は、破り剥がしされやすい部分と、起動体と、を連結又は係合により接続させる接続機構からなる請求項１記載の防犯ブザー装置。
【請求項３】
接続機構は、索条、鎖状体、連結杆、帯状体、伸縮機構のうち少なくとも一種を含んで構成された請求項１または２記載の防犯ブザー装置。
【請求項４】
接続機構は、１つの起動体に対して破り剥がしされやすい部分の複数箇所を連結させることを特徴とする請求項２または３記載の防犯ブザー装置。
【請求項５】
接続機構は、１本又は複数本の索条を含み、索条は破り剥がしされやすい部分の複数箇所に接続されつつ中間位置を起動体に係合してなる請求項２ないし４のいずれかに記載の防犯ブザー装置。
【請求項６】
接続機構は、機体の破り剥がしされやすい部分の任意の位置に脱着自在に連結させる脱着手段を含む請求項２ないし５のいずれかに記載の防犯ブザー装置。
【請求項７】
脱着手段は、破り剥がしされやすい部分に吸着固定される永久磁石を含む請求項６記載の防犯ブザー装置。
【請求項８】
接続機構は、破り剥がしされやすい部分に粘着固定される両面粘着部材を有する請求項６または７記載の防犯ブザー装置。
【請求項９】
警鳴装置は、破り剥がしされやすい部分以外の機体に対して取付板を介して着脱自在に取付けられてなる請求項１ないし８のいずれかに記載の防犯ブザー装置。
【請求項１０】
請求項１ないし９のいずれかに記載された防犯ブザー装置を用いた自動販売機用防犯システムであって、
自動販売機の破り剥がしされやすい部分の破り剥がし行為を検出する該防犯ブザー装置を備えた機体こじあけ検出部と、
外部へ警報を発するとともに通信手段により遠隔地へ通報する警報部と、
機体こじあけ検出部からの検出結果によって警報部を作動させる制御部と、
少なくとも機体こじあけ検出部、警報部、制御部に作動用電源を供給する内部電源部と、を備えた自動販売機用防犯システム。
【請求項１１】
開閉ドアのこじあけを検出するドアこじあけ検出部を備え、
制御部は、機体こじあけ検出部またはドアこじあけ検出部からの検出結果によって警報部を作動させる請求項１０記載の自動販売機用防犯システム。
【発明の詳細な説明】
【技術分野】
【０００１】
本発明は、例えば、飲料、食品、たばこ、その他各種の自動販売機、現金自動預け入れ払い機、金庫等の金品を内部に収容した機体の破壊行為に対して警報を発する防犯ブザー装置及びそれを用いた自動販売機用防犯システムに関する。
【背景技術】
【０００２】
自動販売機、現金自動支払い機等は無人で稼働できる反面、夜間等周りに人がいない場合には、機体の一部を破壊して内部の金品が盗難の被害を受けるおそれがある。これを防止するために、通常は自動販売機等のドアがこじあけられるとドアの開放を検知して警報を発する警報装置が考えられており、例えば、特開平８−２２１６６６号公報に開示されている。特開平８−２２１６６６号公報の盗難警報装置は、自動販売機の扉が閉じた状態でオンとなり開いた状態でオフとなるドアスイッチと、ドアスイッチに電気接続された第１リレーと、第１リレーに接続された第２リレーと、第２リレーが動作することにより閉成してブザーを動作させる警報回路とを備えている。自動販売機の扉がこじあけられてドアスイッチがオフになると、第２リレーが自己保持状態で閉じた状態となりブザーが鳴動し続けるものであった。
【特許文献１】特開平８−２２１６６６号公報
【発明の開示】
【発明が解決しようとする課題】
【０００３】
しかしながら、上記のような特開平８−２２１６６６号の盗難警報装置を含む従来の自動販売機の警報装置は、ドアの開放を検知して警報を発するものであるから、ドア以外の部分、例えば、図１２に示すような自動販売機における金銭投入部パネル部分、を破り剥がす等の破壊行為に対しては検知及び警報を発することができなかった。金銭投入部パネルは、裏面側に金銭装置及び金庫が配置されていることから泥棒に特に狙われやすい、すなわち破り剥がしされやすい部分であるにも関わらず、該破り剥がし行為を検出できないいという問題があった。さらに、金銭投入部パネルのように破り剥がしされやすい部分は、破り始めの箇所が特定されにくいことが多いので、ドアスイッチを配置しても破り剥がし行為を初期段階で検出しにくく、高い防犯効果を期待できなかった。また、早期に検出するために多数のドアスイッチを配置させることも考えられるが、スイッチ、リレー及び電気配線等の配設がより複雑化するとともに、コストも高くついてしまい実用性が低いものであった。
【０００４】
本発明は、上記従来の課題に鑑みてなされたものであり、その目的は、構造が簡単で低コストであるとともに、機体の破り剥がされやすい部分の破り剥がし行為に対して確実に警報を発生することができる防犯効果が高い防犯ブザー装置及びそれを用いた自動販売機用防犯システムを提供することである。さらに他の目的は、機体に簡単に取付けが行える防犯ブザー装置及びそれを用いた自動販売機用防犯システムを提供することである。さらに他の目的は、簡単な構成を維持しつつ、破り剥がしされやすい部分のいずれの方向からの破り剥がし行為にも早期に検知できる実用に優れた防犯ブザー装置及びそれを用いた自動販売機用防犯システムを提供することである。
【課題を解決するための手段】
【０００５】
上記課題を解決するために本発明は、破り剥がしされやすい部分（１１０）を含む機体（１００）であって、該破り剥がしされやすい部分以外の機体に固定され、起動体１６を起動させて警報音を発生させる警鳴装置１２と、機体の破り剥がしされやすい部分（１１０）と起動体１６とを接続し、破り剥がしされやすい部分の破り剥がし動作に対応して起動体１６を起動させて警報音を発生させる連係手段１４と、を有することを特徴とする防犯ブザー装置１０から構成される。警鳴装置１２は、例えば、警報発生回路による警報音発生とし、ケース内部に乾電池等の電源を備えておくと、装置をコンパクトに構成できる。また、警鳴装置は、ケースの外部から作動用電源を供給させることとしてもよい。警鳴装置の構成は、例えば、引き動作スライド式、または押し動作スライド式、押しボタン式、回転式、シーソー式、電磁切替式等その他任意のスイッチング構成で警鳴装置を起動させても良い。起動体の態様に応じて連係手段を構成すると良く、連係手段は、機械的、電気的な接続のいずれの構成でもよい。警鳴装置１２の機体への固定手段は、例えば、磁石による吸着固定、両面粘着部材、接着剤、ネジ止め、その他任意の固定手段でよい。この際、脱着自在とすると装置の再利用ができ、利便性が高い。
【０００６】
また、連係手段１４は、破り剥がしされやすい部分（１１０）と、起動体１６と、を連結又は係合により接続させる接続機構４４からなることとしてもよい。接続機構の破り剥がしされやすい部分や起動体との連結手段としては、磁石による磁力吸着、接着剤による接着、ねじ止め、溶接、その他任意の方法でもよく、フックや嵌合構造等の任意の係合手段でもよい。
【０００７】
また、接続機構４４は、索条、鎖状体、連結杆、帯状体、伸縮機構のうち少なくとも一種を含んで構成されたこととしてもよい。例えば、索条、鎖状体、帯状体等の場合、１本又は複数本の索条を直線状にした状態で一端側を引き剥がしされやすい部分に連結し、他端側を起動体の孔又は環状部に連結して接続した構成でも良い。また、連結杆としては、直線状またはＬ字やコ字に曲折されたロッド体でもよい。複数の連結杆等を接続した構成でもよい。伸縮機構としては、パンタグラフ状の構造体や、径の異なる複数の筒を重ねた伸縮構成で伸長状態をネジ固定できるような構造等その他任意の構成でもよい。
【０００８】
また、接続機構４４は、１つの起動体１６に対して破り剥がしされやすい部分（１１０）の複数箇所を連結させることとしてもよい。例えば、接続機構は起動体側に１箇所連結し、その他端側（又は中間位置）から多数方向に枝分かれ状に分岐させて引き剥がしされやすい部分と複数箇所で連結させることとしてもよい。また例えば紐などの索条の中間位置を起動体に係合させ、両端を破り剥がしされやすい部分に連結させて１本の索条などで連係させるようにしてもよい。
【０００９】
また、接続機構４４は、１本又は複数本の索条４６を含み、索条４６は破り剥がしされやすい部分（１１０）の複数箇所に接続されつつ中間位置を起動体１６に係合してなることとしてもよい。索条の中間位置と起動体との係合構成は任意でよい。例えば、起動体に孔または環状部を設け、該孔または環状部に索条を通係させる構成としても良い。また、起動体に索条をフック状に係合させるフック部を設けることとしても良い。
【００１０】
また、接続機構４４は、機体の破り剥がしされやすい部分（１１０）の任意位置に脱着自在に連結させる脱着手段を含むこととしてもよい。
【００１１】
また、脱着手段は、破り剥がしされやすい部分に吸着固定される永久磁石５０を含むこととしてもよい。
【００１２】
また、接続機構４４は、破り剥がしされやすい部分（１１０）に粘着固定される両面粘着部材（５２）を有することとしてもよい。
【００１３】
また、警鳴装置１２は、破り剥がしされやすい部分以外の機体に対して取付板２０を介して着脱自在に取付けられてなることとしてもよい。警鳴装置と取付板との着脱構成は、例えば、磁石の磁力吸着係合、フック係合、嵌合構造等の脱着が簡単に行える構成であるとよくまた、その他任意の着脱構成でもよい。取付板を機体に対して脱着させるようにしてもよい。
【００１４】
また、本発明は、防犯ブザー装置１０を用いた自動販売機用防犯システムであって、自動販売機１００の破り剥がしされやすい部分（１１０）の破り剥がし行為を検出する該防犯ブザー装置１０を備えた機体こじあけ検出部６０と、外部へ警報を発するとともに通信手段により遠隔地へ通報する警報部７０と、機体こじあけ検出部６０からの検出結果によって警報部７０を作動させる制御部８０と、少なくとも機体こじあけ検出部６０、警報部７０、制御部８０に作動用電源を供給する内部電源部９０と、を備えた自動販売機用防犯システムから構成される。
【００１５】
また、開閉ドアのこじあけを検出するドアこじあけ検出部６２を備え、制御部８０は、機体こじあけ検出部６０またはドアこじあけ検出部６２からの検出結果によって警報部７０を作動させることとしてもよい。
【発明の効果】
【００１６】
本発明の防犯ブザー装置によれば、破り剥がしされやすい部分を含む機体であって、該破り剥がしされやすい部分以外の機体に固定され、起動体を起動させて警報音を発生させる警鳴装置と、機体の破り剥がしされやすい部分と起動体とを接続し、破り剥がしされやすい部分の破り剥がし動作に対応して起動体を起動させて警報音を発生させる連係手段と、を有する構成としたことから、簡単な構成で、低コストであり、かつ、ドア全体の強制開放でなく自動販売機や金庫等の泥棒に狙われやすい、しかも検出困難な金銭受け入れ部分を特定した破り剥がしされやすい部分の破り剥がし動作を確実に検知して警報音を発生させ盗難等を予防し得る。特に、装置内に電源として乾電池を利用した場合には、装置外部からの配線が必要なく取付け構造も簡単であるとともに、平常時の電気消費も少なく運転コストも安くつく。
【００１７】
また、連係手段は、破り剥がしされやすい部分と、起動体と、を連結又は係合により接続させる接続機構からなる構成とすることにより、引き剥がしされやすい部分の引き剥がし行為に対応して起動体を起動させる連係手段を簡単な構造で実現できる。
【００１８】
また、接続機構は、索条、鎖状体、連結杆、帯状体、伸縮機構のうち少なくとも一種を含んで構成されたこととすることにより、引き剥がしされやすい部分と起動体との連係動作を確実に伝達する接続機構を簡単な構造で具体的に実現できる。
【００１９】
また、破り剥がしされやすい部分の複数箇所において連結させる接続機構の破り剥がし側連結部が設けられている構成とすることにより、構造を複雑化することなく、破り剥がしされやすい部分がどの位置から破り剥がしされても即座に対応して起動体を起動させ、破り剥がし動作の初期の段階で警報音を発生させることができ、より効果的に盗難予防し得る。
【００２０】
また、接続機構は、１本又は複数本の索条を含み、索条は破り剥がしされやすい部分の複数箇所に接続されつつ中間位置を起動体に係合してなる構成とすることにより、簡単な構造で複数箇所における接続機構の破り剥がし側連結部を構成することができ、装置全体を低コストで製造できる。
【００２１】
また、接続機構は、機体の破り剥がしされやすい部分の任意の位置に脱着自在に連結させる脱着手段を含む構成とすることにより、必要に応じて、接続機構の破り剥がし側連結部の連結位置の調整や、該連結部を離脱させて防犯ブザー装置を取外し、他の機体へ再利用することもできる。
【００２２】
また、脱着手段は、破り剥がしされやすい部分に吸着固定される永久磁石を含む構成とすることにより、接続機構の破り剥がしされやすい部分との連結を確実に連結させるとともに、脱着自在の連結構成を簡単かつ手軽に実現し得る。
【００２３】
また、接続機構は、破り剥がしされやすい部分に粘着固定される両面粘着部材を有する構成とすることにより、簡単な操作で接続機構の破り剥がしされやすい部分への連結を確実に行わせるとともに簡単かつ安価な連結構成を実現し得る。特に、永久磁石の磁力吸着作用に加えて、粘着部材の粘着力を利用することにより、強固な連結を行え、引き剥がしされやすい部分の引き剥がし動作時の連係を確実に行わせる。
【００２４】
また、警鳴装置は、破り剥がしされやすい部分以外の機体に対して取付板を介して着脱自在に取付けられてなる構成とすることにより、例えば、警鳴装置内に内蔵させた乾電池等の電源交換を含むメンテナンスを行いやすい。また、防犯ブザー装置の再利用もできる。
【００２５】
さらに、本発明の自動販売機用防犯システムによれば、防犯ブザー装置を用いた自動販売機用防犯システムであって、自動販売機の破り剥がしされやすい部分の破り剥がし行為を検出する該防犯ブザー装置を備えた機体こじあけ検出部と、外部へ警報を発するとともに通信手段により遠隔地へ通報する警報部と、機体こじあけ検出部からの検出結果によって警報部を作動させる制御部と、少なくとも機体こじあけ検出部、警報部、制御部に作動用電源を供給する内部電源部と、を備えた構成とすることにより、簡単かつ安価な構成の防犯ブザー装置を利用して、防犯効果の高い防犯システムを簡単に構成できる。自動販売機の破壊行為の際に、自動販売機用の外部電源が切断されても、防犯システムは内部電源により作動して監視状態を維持できるので、良好に防犯することができる。
【００２６】
また、開閉ドアのこじあけを検出するドアこじあけ検出部を備え、制御部は、機体こじあけ検出部またはドアこじあけ検出部からの検出結果によって警報部を作動させる構成とすることにより、例えば、金銭投入部パネルなどの破り剥がしされやすい部分の破り剥がし行為や開閉ドアのこじあけ行為等、泥棒に破壊行為を受けやすい部分の破壊行為による盗難に広く対応した防犯を行える。
【発明を実施するための最良の形態】
【００２７】
以下、添付図面を参照しつつ本発明の防犯ブザー装置及びそれを用いた自動販売機用防犯システムの実施の形態を説明する。本発明の防犯ブザー装置は、例えば、自動販売機、現金自動預け払い機、金庫等の金品を収容している機体において、該機体の引き剥がしてされやすい部分すなわち泥棒に狙われやすく破壊行為を受けやすい部分に取り付けられ、破り剥がし動作に対応して警報音を発して盗難予防等を行える防犯装置である。
【００２８】
図１ないし図９には、本発明の防犯ブザー装置の実施の形態を示している。本実施形態において、防犯ブザー装置１０は、図２、図３に示すように、例えば、缶入り飲料を販売する既設の自動販売機１００に取付けられる。図２は自動販売機１００のドア裏面側構造が見えるように販売機本体からドアを開いた状態の概略正面図を示しているが、販売機本体の内部構造を省略している。図３は、自動販売機のドアを閉めた状態でドアの表面側から見た一部切欠正面図である。図２、図３において、自動販売機１００は、商品を貯蔵販売する販売機本体１０２と、販売機本体１０２に対して自在に開閉されるとともに閉鎖状態で施錠可能なドア１０４と、を備えている。ドア１０４は、例えば、全体として金属製の枠および鉄板等を組付けて構成されている。ドア１０４の上部位置に商品選択部１０５、中部位置に金銭投入部１０６、下部位置に商品取出口１０７、が配置されている。また、図２に示すように、ドア１０４の裏面側の中間位置には、金銭投入部と同程度高さ位置に平面部１０４ａが形成されている。金銭投入部１０６は、その他の本体部分とは別構成の金属製パネルからなる金銭投入部パネル１１０で構成されている。金銭投入部パネル１１０の表側には、硬貨投入口、紙幣投入口、返却レバー、計算表示部が一体的に設置されるとともに、裏側には金銭装置１０８及び金庫１０９が取付けられている。金銭投入部パネル１１０は、その縁部がドア１０４の一部に一体的に取付けられている。そして、この金銭投入部パネル１１０のみをバールや破壊用器具で破り剥がしし、内部の金銭のみを持ち去られる場合には従来の検出装置では検知が困難であり、この部分が最も狙われやすい部分であった。本実施形態では、自動販売機１００を防犯の管理対象となる機体とし、ドア１０４の金銭投入部パネル１１０が破り剥がしされやすい部分とされ、このために、防犯ブザー装置１０はドア１０４の裏面側の金銭投入部１０６付近に取付けられている。図３中、１１１はつり銭口、１１２はドア施錠用鍵穴である。なお、防犯ブザー装置１０は、上記のように缶入り飲料の自動販売機に限らず、例えば、びん入り飲料、カップ入飲料、菓子、食品、たばこ、切符、食券、切手、新聞、雑誌、文具、衛生用品等或は、両替機、現金自動支払い機、コインロッカー等その他種々の態様の自動販売機に適用しても良く、また、例えば家庭用、業務用の金庫等自動販売機以外のものに取付けて防犯を図ることとしても良い。
【００２９】
図１に示すように、防犯ブザー装置１０は、警報音を発生させる警鳴装置１２と、金銭投入部パネル１１０（破り剥がしされやすい部分）と警鳴装置１２とを接続する連係手段１４と、を備えている。警鳴装置１２は、破り剥がしされやすい部分（１１０）以外の機体部分に取付けられ、引き剥がし部分の引き剥がし動作の際に連係手段１４によって起動体１６を起動させて警報音を発生させる警報音発生手段である。警鳴装置１２は、引き剥がし部分の引き剥がし動作に対応して警報音を発生させるものであり、引き剥がし動作により、その起動体を確実に起動させるように機体側に取り付けられる必要がある。具体的な取り付け箇所は任意であるが、破壊により持ち去られるパネル部分以外の機体部分である必要がある。本実施形態において、警鳴装置１２は、例えば、ケース１８内に起動体１６の起動に伴って警報を発生する回路警報発生回路を内蔵して形成されている。警報発生回路は、例えば、図９に示すような、乾電池等の電源３４、発振回路３６、警報発生体３８、機械スイッチ部４０を含む回路が用いられる。図４は、防犯ブザー装置を自動販売機のドア裏側に取り付けた際の要部平面説明図を示している。図１、図４に示すように、本実施形態では、警鳴装置１２の起動体１６は、ケース１８に対してケースに沿いつつ直線状にスライド可能なレバー部材２８からなる。レバー部材は、例えば、側面視略コ字状の金属製板部材から形成されている。レバー部材２８の一端側には、ケース内の警報発生回路をスイッチングするようにケース側面に連結されたＬ字端部３０が形成されている。そして、レバー部材２８のＬ字端部３０には、後述する連係手段１４が連結又は係合されるようになっている。すなわち、本実施形態では、警鳴装置１２は、金銭投入部パネル１１０の引き剥がし動作時に連係手段１４によって起動体１６が引っ張り動作されて発生音を発生させるようになっている。なお、起動体は、上記のものに限らず、例えば、押しボタン構成とし、引き剥がし動作の際に連係手段を介して起動体が押し込みされる構成でもよい。
【００３０】
本実施形態では、警鳴装置１２は、図２に示すように、自動販売機のドア１０４の裏側であって、金銭投入部パネル１１０（破り剥がしされやすい部分）以外の該パネルと対応した任意の位置に取付けられる。本実施形態において、警鳴装置１２は、ドア裏側の平面部１０４ａに取付板２０を介して脱着自在に装着される。本実施形態では、警鳴装置１２と取り付板２０とは、永久磁石の磁力作用を利用して脱着自在な構成を実現している。詳細には、図６、図８に示すように、ケース１８の取付板２０へ取付ける際の取付側面に、警鳴装置１２全体を支持する永久磁石２４が設けられている。永久磁石２４は、例えば円筒形のブロック塊からなり、比較的強い磁力を保持しつつ、取付板２０に磁力吸着される。一方、取付板２０は、金属製平面プレート体からなり、その一面側に警鳴装置１２との脱着係合部となる磁石吸着用平面を形成している。取付板２０の裏面側には、両面粘着テープ２７が接着されており、ドアの平面部１０４ａに簡単に取り付けされる。そして、警鳴装置１２は、固定させた永久磁石２４を介して取付板２０の平面に吸着固定させて脱着自在構成としている。これにより、警鳴装置１２をスムーズに取付け取外しを行って、簡単に電池交換等のメンテナンス等ができるとともに、自動販売機自体を交換する場合には装置を取り外し、他の自動販売機に再利用することもできる。本実施形態では、警鳴装置１２は、図１、図４に示すように、係合手段との連結部又は係合部となる起動体１６のＬ字端部３０側を金銭投入部パネル側に向けられるとともに、起動体のスライド方向が水平方向になるように設定されて配置されている。
【００３１】
図６、図８に示すように、本実施形態では、警鳴装置１２のケース１８の一端側には、横向きのフック開口を有するフック部２６が形成されている。フック部２６は、取付板２０に形成された孔２０ａに挿入され、縁部に嵌合できるようにもなっている。これにより、警鳴装置１２の取付板に対する装着位置の位置決めや方向設定を楽に行えるとともに、永久磁石２４による吸着固定を補助的に支持し、装置の取付板からの離脱を防止し得る。フック部２６は、基本的にはなくてもよく、警鳴装置の永久磁石２４による磁力吸着だけの脱着構成でもよい。
【００３２】
なお、警鳴装置１２は、取付板２０を介さずに直接にドア１０４に取付けるようにしても良い。例えば、ドア１０４が鉄製の場合には、ケース１８の永久磁石２４をドア１０４に直接に吸着固定させて警鳴装置を装着することとしてもよく、または、ネジ止め、両面粘着テープ、接着剤等その他任意の固定手段で取付けることとしてもよい。
【００３３】
連係手段１４は、金銭投入部パネル１１０と警鳴装置１２の起動体１６とを接続し、金銭投入部パネル１１０の破り剥がし動作に対応して起動体１６を起動させる。図１、図４に示すように、連係手段１４は、金銭投入部パネル１１０と起動体１６とを連結又は係合により接続させる接続機構４４から構成されている。本実施形態では、接続機構４４の金銭投入部パネル１１０側では複数箇所で連結されて引き剥がし側連結部４４ａを形成し、起動体１６側では起動体に係合されて起動体側係合部４４ｂを形成して金銭投入部パネル１１０と起動体１６とを接続している。接続機構４４は、金銭投入部パネル１１０の引き剥がし動作に対応して起動体１６を引き動作して強制的にスライドさせる起動体の起動手段となっている。本実施形態において、接続機構４４は、１本の索条４６からなり、中間位置をＵ字状に曲げた状態でその両端側を金銭投入部パネル１１０の裏面側平面部分にそれぞれ連結して引き剥がし側連結部４４ａとしている。他方、起動体側係合部４４ｂは、図７に示すように、索条の該Ｕ字部分を起動体１６を形成するあるレバー部材２８のＬ字端部３０側のＬ字隅部内側に引っ掛けるようにして係合して形成している。図１において、索条４６はＵ字状中間部分が横方向に向けて張設されており、起動体１６を金銭投入部パネル側に向けて横方向に牽引できるようになっている。本実施形態では、索条の中間係合位置から一端の引き剥がし連結部側までのＵ字延長部分４６１の長さが、中間係合位置から他端側までのＵ字延長部分４６２の長さよりも長く設定されており、両端側の引き剥がし連結部４４ａが左右に離隔した位置に設定されている。さらに、索条４６は、起動体１６の鳴動解除状態で略緊張状態になる長さに設定されている。これにより、金銭投入部パネル１１０の引き剥がし動作がある方向から、例えば、左右いずれの方向から行われてもすぐに索条４６は起動体を起動させることができ、引き剥がし行為の初期段階で警報を発生して盗難予防し、高い防犯効果を期待できる。索条４６は、上記のように１本をＵ字状に撓ませて起動体１６に引っ掛けるだけの簡単な構造であるので防犯ブザー装置全体を簡単に製造できるとともに、金銭投入部パネルの引き剥がし動作を起動体の起動に確実に連係させることができる。加えて、索条の中間部分での起動体１６との係合位置を自在に変更して両端部側へのＵ字延長部分の長さを互い違いに調整して、金銭投入部パネル側の連結位置の調整をスムーズに行うことができる。索条４６は、例えば、合成樹脂製、金属製等のワイヤー、ロープ、紐等、引張力に対してある程度の強度を有しつつ可撓性を有する索条類でよい。なお、索条に代えて鎖状体でも同様に構成できる。索条は、可撓性があるのでその設置自由度が高く、金銭投入部パネルとの連結部分から起動体までの間に多少の凹凸があってもそれにならわされながら接続することができ、牽引力の伝達を維持することができる。
【００３４】
本実施形態では、図１、図４に示すように、引き剥がし側連結部４４ａである索条４６の両端側には、連結部材４８ａ、４８ｂが取付けられている。連結部材４８は、合成樹脂製の円筒状ケース内に配置されたブロック塊状の永久磁石５０を含む。さらに、連結部材４８の当着面側には、両面粘着テープ５２が取付けられており、離型紙を剥がして取り付けるようになっている。連結部材４８は、ある程度の大きさのブロック体からなるので手で持ちやすく連結作業をしやすいとともに、磁石の磁力吸着力と両面粘着テープの接着力により、索条を強固に連結させる。すなわち、連結部材は、索条を金銭投入部パネルの平面部分に簡単で手軽かつ強固に連結することができる簡易連結手段を形成している。図４において、Ｕ字状の索条の一端は、連結部材４８ａを介して金銭投入部パネル１１０の左寄り位置に連結され、他端側は、連結部材４８ｂを介して金銭投入部パネル１１０の右寄り位置に連結されている。なお、連結部材４８は、両面粘着テープを用いず永久磁石５０の磁力吸着作用のみで固定させるようにしても良い。その際、連結部材は索条を金銭投入部パネルに脱着自在に連結させる脱着手段となり、例えば、連結位置の調整を行ったり、または故障した自動販売機から装置を取り外して新規のものへ装着させる等の再利用することができ、利便性を向上させ得る。
【００３５】
なお、接続機構４４は、１本の索条に限らず、複数本の索条で構成してもよく、各索条を上記同様に係合させても良い。その際、金銭投入部パネルとの連結箇所が多くなり、どの方向から引き剥がし動作されても早期に検知し、警報音を発生させてより高い盗難予防効果を期待できる。また、索条の連結構成は、上記構成に限らず例えば、起動体１６に孔又は環状部を設けておき、１本又は複数本の索条を直線状にした状態で一端側を金銭投入部パネル１１０に連結し、他端側を起動体１６の孔又は環状部に結び付けて接続した構成でも良い。また、起動体側に１本連結し、該起動体側から多数方向に枝分かれ状に分岐させて引き剥がし連結部に複数箇所連結させることとしてもよい。また、接続手段は、索条に限らず、例えば、針金、直線状またはＬ字やコ字に曲折されたロッド体や板部材、パンタグラフ状の構造体、径の異なる複数の筒を重ねた伸縮構成で伸長状態をネジ固定できるような構造体、または、その他連結杆、鎖状体、帯状体、伸縮機構等のいずれかを含む構成であってもよい。なお、接続機構の連結手段としては、接着剤による接着、ねじ止め、溶接、その他任意の方法でもよい。
【００３６】
次に本実施形態に係る防犯ブザー装置の作用について説明する。図２、図３に示すように、ドア１０４の裏面側の平面部１０４ａに警鳴装置１２を取付板２０を介して取付ける。警鳴装置の取付けは磁石を介して脱着自在に係合されており、簡単にメンテナンス等を行える。警鳴装置の起動体に中間位置をＵ字状に係合された索条４６の両端を連結部材４８ａ、４８ｂを介して金銭投入部パネル１１０に左右離隔した位置に連結させる。この際、索条は、起動体との係合位置を変更させて索条両端部側と金銭投入部パネルとの連結位置を調整できる。連結部材は、磁石及び両面粘着テープを有しており、金銭投入部パネルへの連結作業が簡単に行え、しかも強固に連結される。そして、例えば、図５に示すように、金銭投入部パネル１１０の左側の継ぎ目からバールＴ等により引き剥がし行為が行われると、該左側の連結部材４８ａで連結された索条の一端側が牽引される。この際、索条の他端側の連結部材４８ｂで固定されているので、引き剥がし動作により索条の一端側が牽引されることによって、索条の中間位置で起動体１６を引っ張る方向に強制的にスライド移動させ、ケース内の警報発生回路を閉路接続し、警報音を発生させる。逆に金銭投入部パネル１１０の右側の継ぎ目からバールＴ等により引き剥がし行為が行われた場合にも同様に、右側の連結部材４８ｂに接続される索条の他端側が牽引されるのにしたがって起動体１６を起動させて警報音を発生させる。すなわち、簡単かつ安価な構成で、しかも管理対象物への取付けも簡単に行えるとともに、金銭投入部パネルのいずれの方向から引き剥がし行為が行われても、引き剥がし行為の初期段階で検知し、警報音を発生させて、良好に盗難予防し得る。
【００３７】
次に、図１０を参照しつつ、上記実施形態に係る防犯ブザー装置を用いた自動販売機用防犯システムについて説明する。本実施形態の自動販売機用防犯システム（以下、「防犯システム」という）は、自動販売機の機体の破り剥がしされやすい部分（例えば、金銭投入部パネル）の破り剥がし行為を検出してその検出結果を制御部に送り、制御部は、送られてきた結果によって警報部を作動させて外部への警報音の発生及び通信装置で遠隔地への警報を送信して通知する防犯システムである。本実施形態において、防犯システムは、図１０に示すように、防犯ブザー装置を備えた機体こじあけ検出部６０と、ドアこじあけ検出部６２と、警報部７０と、制御部８０と、内部電源部９０と、を含む。
【００３８】
機体こじあけ検出部６０は、破り剥がしされやすい部分（例えば、上記のような自動販売機の金銭投入部パネル）の破り剥がし行為を検出する防犯ブザー装置１０を取り付けて構成されている。図１０においては、機体こじあけ検出部６０は、制御部８０と内部電源部９０とに電気的に接続されている。本実施形では、防犯ブザー装置１０において、図９に示すような警報発生回路の電源は乾電池ではなく、警鳴装置のケース外に設けられた内部電源部９０から電源供給される。さらに、本実施形態において、機体こじあけ検出部６０は、警報音発生回路には警報音発生回路の閉路接続状態で制御部８０の第１リレー接点８２を閉鎖するようにスイッチ作動するブザー連動スイッチ６４を含む。
【００３９】
ドアこじあけ検出部６２は、自動販売機のドアが不正にこじあけられたか否かを検出する。本実施形態では、ドアの施錠状態を検知する鍵連動スイッチ６６と、ドアの開閉状態を検知するドア検出スイッチ６８と、を備えている。図１０において、鍵連動スイッチ６６は、例えば、リミットスイッチ等からなり、ドアの施錠状態によって制御部８０の第２リレー接点８４の開閉をスイッチ作動させるリレースイッチである。同様に、ドア検出スイッチ６８は、例えば、リミットスイッチからなり、ドアの開閉状態によって制御部８０の第３リレー接点８６の開閉をスイッチ作動させるリレースイッチである。
【００４０】
警報部７０は、外部への警報を発する警報音発生部７２と、遠隔地に通報する通信装置７４と、を備えている。本実施形態では、警報部７０は、制御部８０、内部電源部９０と電気的に接続されており、制御部８０の第１〜第３リレー接点により閉鎖接続される防犯システム回路を形成するようになっており、制御部のリレー制御によって作動する。警報音発生部７２は、例えば、警報音を発生させる警報音発生体を有しており、周囲に向けてその警報音を発生させる。通信部７４は、有線または無線で管理者側の端末と接続される通信装置を備えており、こじあけ検出信号を遠隔地の管理者に送信する。なお、警報音発生部７２は、防犯ブザー装置１０の警鳴装置１２と兼用させることとしてもよい。
【００４１】
制御部８０は、機体こじあけ検出部６０又はドアこじあけ検出部６２からの検出結果により、警報部７０を作動制御する制御手段である。本実施形態では、制御部８０は、機体こじあけ検出部６２と対応する機体こじあけ検出回路とドアこじあけ検出部と対応するドアこじあけ検出回路とを含む。機体検出こじあけ回路は、第１リレー接点８２により閉鎖接続される、警報部７０、内部電源部９０を含む防犯システム回路である。第１リレー接点８２は、常時は、開状態になっており、機体こじあけ検出部のブザー連動スイッチ６４が作動すると閉じた状態となり、警報部７０を作動させる。
【００４２】
ドアこじあけ検出回路は、鍵連動スイッチ６６によって開閉作動する第２リレー接点８４とドア検出スイッチ６８によって開閉作動する第３リレー接点８６により閉鎖接続される、警報部７０、内部電源部９０を含む防犯システム回路からなる。第２リレー接点８４は、鍵の施錠状態では閉じた状態となり、鍵を使って正常に解錠されると開いた状態となる。第３リレー接点８６は、ドアが閉じた状態で接点を開いた状態となり、ドアが開いた状態で接点を閉じた状態となるようになっている。すなわち、ドアこじあけ検出部は、常時は施錠した状態としておき、施錠された状態でドアが開かれると、第２リレー接点８４は閉じたままの状態でドア検出スイッチ６８が作動して第３リレー接点８６を閉じることとなり防犯システム回路が閉鎖回路を形成し、警報部７０が作動する。一方、鍵を使って正常に解錠されると、ドアこじあけ検出部６２の鍵連動スイッチ６６が作動して第２リレー接点８４が開いた状態となり、ドアが開かれて第３リレー接点８６が閉じた状態となっても警報部７０は作動しないようになっている。
【００４３】
本実施形態では、内部電源部９０は、例えば、コンデンサーや蓄電池等からなる蓄電装置９２を備えており、機体こじあけ検出部６０、ドアこじあけ検出部６２、警報部７０、制御部８０に作動用の電源を供給する。内部電源部９０は、内部に蓄電しているので、例えば、自動販売機の破壊行為の際に、コンセントが引き抜かれり切断された場合にも、内部電源により防犯システムが稼働し、該破り剥がしされやすい部分の破り剥がし行為やドアのこじあけを確実に検出して警報音を発生することができる。図１０において、内部電源部９０は、変圧器９４を介して外部電源と接続されており、平常時は外部電源と接続されて充電される。なお、蓄電装置９２は、機体こじあけ検出部６０の防犯ブザー装置１０とは変圧部９６を介して接続されている。
【００４４】
本実施形態に係る自動販売機用防犯システムおいて、例えば、自動販売機の引き剥がしされやすい部分、例えば、金銭投入部パネルがバール等により引き剥がしされようとすると、上記のように防犯ブザー装置１０が作動して、該防犯ブザー装置の警鳴装置から警報音を発生する。と同時に、機体こじあけ検出部６０のブザー連動スイッチ６４が作動し、制御部８０の第１リレー接点８２を閉じて警報部７０を作動させる。警報部７０は、警報音発生部７２から外部に向けて警報音を発生するとともに通信部７４の通信装置で遠隔地の管理者の端末へ通知する。一方、ドアがこじ開けられた場合には、ドアこじあけ検出部６２のドア検出スイッチ６８が作動して、第３リレー接点８６を閉じ、警報部を作動させる。これにより、簡単な防犯ブザー装置を用いて簡単に防犯システムを構成でき、泥棒等の破壊行為者に対して警報を与えるとともに周囲にも注意を促し、さらには、遠く離れた管理者にも破壊行為が行われたことを知らせることができ、盗難の予防等の防犯を行える。また、例えば、管理者が商品補充やメンテナンスの際にドアを開ける際には、ドアを鍵によって正常に解錠して、第２リレー接点８４が開き、管理者がドアを開けることによって第３リレー接点が閉じても警報部は作動しない。
【００４５】
なお、図１１に示すように、防犯システムは、ドアこじあけ検出部を有さず、防犯ブザー装置を備えた機体こじあけ検出部６０と、警報部７０と、制御部８０と、内部電源部９０と、からなる構成としてもよい。また、図１１において、内部電源部９０は、防犯ブザー装置の内部に乾電池等の配置させて構成し、防犯ブザー装置の内部乾電池から警報部、制御部等に電源供給するようにしてもよい。
【００４６】
なお、本実施形態に係る防犯システムが適用される自動販売機の形態は、びん入り、缶入、カップ入飲料、菓子や食品類、たばこ、切符、食券、切手、新聞、雑誌、文具、衛生用品等或は、両替機、現金自動支払い機、コインロッカー等その他種々の態様の自動販売機に適用しても良い。また、防犯ブザー装置が取付けられる破り剥がしされやすい部分は、上記実施形態のように金銭投入部パネルに限らず、防犯管理対象の機体に対応して設定するとよい。
【００４７】
以上説明した本発明の防犯ブザー装置及びそれを用いた自動販売機用防犯システムは、上記した実施形態のみの構成に限定されるものではなく、特許請求の範囲に記載した本発明の本質を逸脱しない範囲において、任意の改変を行ってもよい。
【図面の簡単な説明】
【００４８】
【図１】実施形態の防犯ブザー装置の正面説明図である。
【図２】図１の防犯ブザー装置を取り付けた自動販売機のドアを開いた状態の正面説明図である。
【図３】図２の自動販売機のドアを閉じた状態の一部切欠正面説明図である。
【図４】図１の防犯ブザー装置の平面視要部説明図である。
【図５】図１の防犯ブザー装置の作用説明図である。
【図６】図１の防犯ブザー装置の警鳴装置周辺の平面説明及び起動体の作用図である。
【図７】図１の防犯ブザー装置の警鳴装置のレバー部材と索条との係合状態説明図である。
【図８】図１の防犯ブザー装置の警鳴装置と取付板との脱着構成の離脱状態説明図である。
【図９】図１の防犯ブザー装置の警報発生回路の回路図である。
【図１０】実施形態に係る防犯ブザー装置を用いた自動販売機用防犯システムの概略説明図及びその回路図の一例である。
【図１１】防犯ブザー装置を用いた自動販売機用防犯システムの他の形態の概略説明図である。
【図１２】従来の自動販売機のドアを閉じた状態の正面図である。
【符号の説明】
【００４９】
１０  防犯ブザー装置
１２  警鳴装置
１４  連係手段
１６  起動体
４４  接続機構
４６  索条
５０  磁石
５２  両面粘着テープ
６０  機体こじあけ検出部
６２  ドアこじあけ検出部
７０  警報部
８０  制御部
９０  内部電源部
１００  自動販売機
【図１】
2005301378.tif 000003
【図２】
2005301378.tif 000004
【図３】
2005301378.tif 000005
【図４】
2005301378.tif 000006
【図５】
2005301378.tif 000007
【図６】
2005301378.tif 000008
【図７】
2005301378.tif 000009
【図８】
2005301378.tif 000010
【図９】
2005301378.tif 000011
【図１０】
2005301378.tif 000012
【図１１】
2005301378.tif 000013
【図１２】
2005301378.tif 000014